(57)【要約】【課題】柱上開閉器引綱固定装置の引綱ロック操作を作業者が地上から確実に行う。【解決手段】引綱のロック・ロック解除用の２個のリング部材を両端に備えた遥動部材と、遥動部材の遥動と連動して引綱を固定可能な押さえ部材とを含む引綱固定装置のための操作棒１であり、操作用棒状体２とアタッチメント３から構成され、アタッチメント３は、棒状体２の端部への固定部５とこの固定部から伸びる支持部６とを備えた基部材４と、支持部６にピボット７を介して遥動可能に接続されたレバー８とを備えている。レバー８には、リング部材のリングに挿入されるリング挿入部１０、１１が設けられ、リング挿入部１０、１１は棒状体２と垂直に突出しており、リング挿入部１０、１１の間隔はリング部材の一方を最下位置まで引っ張ったときの下方のリング部材のリング内周の下端と上方のリング部材のリング内周の上端との長さに略等しい。【選択図】図１
2007035533.tif 000002
【特許請求の範囲】
【請求項１】
電柱に取り付けられる筐部材と、柱上開閉器の開閉操作用引綱を前記筐部材と協働してロックまたはロック解除するために前記筐部材に移動可能に取り付けられた押さえ部材と、前記筐部材に設けられた軸に両端が上下方向に遥動可能なように取り付けられた遥動部材と、該遥動部材の一端に回転自在に吊り下げられておりかつ下端にリングを備えているロック用リング部材と、前記遥動部材の他端に回転自在に吊り下げられておりかつ下端にリングを備えているロック解除用リング部材とを含んでおり、ロック用リング部材を下方に引っ張って遥動部材を一方向に傾斜させることにより押さえ部材が引綱をロックし、ロック解除用リング部材を下方に引っ張って遥動部材を反対方向に傾斜させることにより押さえ部材が引綱をロック解除するようになっている引綱固定装置に対して使用される、引綱固定装置の遥動部材の遥動操作を行うための操作棒であって、
該操作棒が、操作用棒状体と、該操作用棒状体の端部に取り付けられたアタッチメントから構成されており、
前記アタッチメントが、
前記操作用棒状体の端部に取り付けるための固定部と、該固定部から延びる支持部とを備えた基部材と、
前記支持部にピボットを介して、アタッチメントを操作用棒状体に取り付けたときに操作用棒状体の延伸方向に遥動可能なように取り付けられたレバーと、
を備えており、
前記レバーには、前記ピボットの片側に、引綱固定装置の２個のリング部材のリング内にそれぞれ挿入されてリング内周に当接する２個のリング挿入部が、これらのリング挿入部とピボットとが略直線的に並ぶように配置されて設けられており、
前記２個のリング挿入部間の間隔が、引綱固定装置のリング部材の一方を最下位置まで引っ張ったときの下方に存在するリング部材のリング内周の下端と上方に存在するリング部材のリング内周の上端との長さに略等しいことを特徴とする操作棒。
【請求項２】
前記２個のリング挿入部が、アタッチメントを操作用棒状体に取り付けたときに操作用棒状体の延伸方向と略垂直な方向に突出するように設けられていることを特徴とする、請求項１に記載の操作棒。
【請求項３】
前記２個のリング挿入部におけるリング部材のリング内周と当接すべき部分に、リング内周との摩擦を軽減するための回転自在の回転部材が取り付けられていることを特徴とする、請求項１または２に記載の操作棒。
【請求項４】
前記２個のリング挿入部の間隔が調節可能になっていることを特徴とする、請求項１〜３のいずれか１項に記載の操作棒。
【請求項５】
前記レバーが棒体または略矩形の板体により構成されており、前記棒体または略矩形の板体の端部に前記ピボットが配置されていることを特徴とする、請求項１〜４のいずれか１項に記載の操作棒。
【請求項６】
前記基部材の支持部が、アタッチメントを操作用棒状体に取り付けたときに操作用棒状体の延伸方向に伸びるように設けられていることを特徴とする、請求項１〜５のいずれか１項に記載の操作棒。
【請求項７】
前記操作用棒状体の先端にリング部材のリングに引っ掛けるための鉤部が備えられており、前記基部材の支持部にこの鉤部を挿通させるための孔が設けられていることを特徴とする、請求項１〜６のいずれか１項に記載の操作棒。
【請求項８】
前記基部材の支持部または前記レバーのいずれか一方のピボット近傍の位置に、アタッチメントを操作用棒状体に取り付けたときにピボットとリング挿入部の一方とを結ぶ直線と操作用棒状体の軸によって形成される角度を規制するための規制突起部が設けられていることを特徴とする、請求項１〜７のいずれか１項に記載の操作棒。
【請求項９】
前記規制突起部の位置が移動可能になっており、規制突起部の位置に依存して、アタッチメントを操作用棒状体に取り付けたときにピボットとリング挿入部の一方とを結ぶ直線と操作用棒状体の軸により形成される角度の最小値が調整されるようになっていることを特徴とする、請求項８に記載の操作棒。
【請求項１０】
請求項１〜９のいずれか１項に記載されているアタッチメント。
【請求項１１】
請求項１〜６のいずれか１項に記載されているレバーを操作用棒状体の端部にピボットを介して取り付けたことを特徴とする操作棒。
【発明の詳細な説明】
【技術分野】
【０００１】
本発明は、電柱の高所に配置された柱上開閉器の開閉操作用の引綱の固定装置に対して使用される、引綱のロック（固定）操作またはロック解除（解放）操作を作業者が地上から行うための操作棒および操作棒用アタッチメントに関する。
【背景技術】
【０００２】
図６に示すように、電柱１０の腕金部分に設置してある柱上開閉器２０には、開閉操作用の色分け（一般に閉操作側が赤色、開操作側が緑色）された開操作用引綱３１と閉操作用引綱３２が備えられている。これらの引綱３１、３２は、その先端部が柱上開閉器２０の操作ハンドル２１に取り付けられ、電柱１０に沿って下方へ導かれ、末端部が電柱１０の適当な位置に固定されている。そして、開操作用引綱３１の末端部には開操作用リング３３が、閉操作用引綱３２には閉操作用リング３４が、それぞれの引綱３１、３２を下方に引っ張って操作ハンドル２１を回転させる目的のために備えられている。例えば、電線路の停電作業を行う際に作業者が開操作用リング３３を下方に引っ張ると、開操作用引綱３１を介して操作ハンドル２１が回転し、柱上開閉器２０の回路が開に投入される。
【０００３】
このように柱上開閉器２０の回路が開に投入された状態で作業しているときに、閉操作用引綱３２あるいは閉操作用リング３４に外力が作用すると、操作ハンドル２１が回転し、柱上開閉器２０の回路が閉に投入され、感電事故が発生する恐れがある。また、逆に柱上開閉器２０の回路を閉に投入した状態のときに、開操作用引綱３１あるいは開操作用リング３３に外力が作用すると、操作ハンドル２１が回転し、柱上開閉器２０の回路が開に投入され、停電事故が発生する恐れがある。そこで、このような事故を防ぐために、閉操作または開操作を行った後の引綱３１、３２がもはや動かないようにロックする引綱固定装置４０が使用されているが、この引綱固定装置４０は、作業中に引綱３１、３２の固定点の上方の部分に外力が加わるのを防止するために、また作業者以外の第三者が引綱３１、３２または操作用リング３３、３４に触れるのを防止するために、作業者および第三者の手の届かない高所に固定用バンド３５を用いて配置されることが多い。
【０００４】
一般的にこのような高所に配置される引綱固定装置４０は、電柱に取り付けられる筐部材と、引綱を上記筐部材と協働してロックまたはロック解除するために上記筐部材に移動可能に取り付けられた押さえ部材と、上記筐部材に設けられた軸に両端が上下方向に遥動可能なように取り付けられた遥動部材と、該遥動部材の一端に回転自在に吊り下げられておりかつ下端にリングを備えているロック用リング部材と、上記遥動部材の他端に回転自在に吊り下げられておりかつ下端にリングを備えているロック解除用リング部材とを含んでおり、作業者がロック用リング部材またはロック解除用リング部材を下方に引っ張ることにより遥動部材を遥動させ、この遥動に連動して押さえ部材が引綱をロックしたりロック解除したりするように構成されている。
【０００５】
このロック用リング部材またはロック解除用リング部材を下方に引っ張る操作、すなわち遥動部材を遥動させる操作のために、従来、図６の引綱固定装置４０の近傍の拡大図に相当する図７に示されているような操作棒６０が使用される。この従来技術の操作棒６０は、作業者が操作時に把持するための操作用棒状体と、その端部に被せられた鉤部を備えたアタッチメントから構成されている。この従来のアタッチメントは、操作用棒状体の端部に被せるためのキャップ状の固定部と該固定部から延びる鉤部６１とを備えており、固定部の一部に設けられた切り込み部分にボルトが挿通されて操作用棒状体に固定されている。
【０００６】
例えば、電線路の停電作業を行う場合には、作業者は、引綱の開操作用リング３３に鉤部６１を引っ掛けて下方に引っ張り、柱上開閉器２０の回路を開に投入した後に、ロック用リング部材４４のリング４６に操作棒６０の鉤部６１を引っ掛けて下方に引っ張る。すると、引綱固定装置４０の遥動部材が軸を中心に遥動して一方向に傾斜し、この遥動に連動して押さえ部材が作動して引綱をロックする。この状態では引綱３１、３２がもはや動かないため、作業者は安全に電線路の点検や工事等の作業を行うことができる。作業の終了後には、作業者が鉤部６１をロック解除用リング部材４５のリング４７に引っ掛けて下方に引っ張ると、遥動部材が軸を中心に遥動して反対方向に傾斜し、この遥動に連動して押さえ部材が作動して引綱をロック解除する。その後、作業者は引綱の閉操作用リング３４に鉤部６１を引っ掛けて下方に引っ張り、柱上開閉器２０の回路を閉に投入して送電を開始する。
【発明の開示】
【発明が解決しようとする課題】
【０００７】
上述のように、引綱固定装置には遥動部材やこれと連動する押さえ部材を含む可動部材が多数備えられているが、経時的な変化（例えば注油された機械油の酸化、ほこりの付着等）により、遥動部材の動作不良が発生する場合がある。このような場合には、作業者がロック用リング部材またはロック解除用リング部材のリングに従来の操作棒の鉤部を引っ掛け、操作棒に両手を添えて自己の全体重の荷重を加えて下方に引っ張ろうとしても、リングを最下位置まで引っ張ることができず、結果的に引網のロック操作またはロック解除操作を行うことができなくなっていた。そのため、このような事態が発生した場合には、作業者が電柱に昇って引綱固定装置を分解し、遥動部材の動作不良を修繕する必要があった。あるいは、このような事態が発生するのを回避するため、定期的に電柱に昇って引綱固定装置に注油等のメンテナンスを施す必要があった。あるいは、引綱固定装置自体の交換を余儀なくされる場合もあった。
【０００８】
そこで、本発明の目的は、経時的な変化によりリング部材のリングを最下位置まで引っ張ることできなくなった場合でも、地上からの操作によりリングを最下位置まで確実かつ容易に引っ張ることができるようにする操作冶具を提供することである。
【課題を解決するための手段】
【０００９】
発明者は、引綱固定装置においてロック用リング部材とロック解除用リング部材が遥動部材を介して接続されていることに着目し、電柱に取り付けられる筐部材と、柱上開閉器の開閉操作用引綱を上記筐部材と協働してロックまたはロック解除するために上記筐部材に移動可能に取り付けられた押さえ部材と、上記筐部材に設けられた軸に両端が上下方向に遥動可能なように取り付けられた遥動部材と、該遥動部材の一端に回転自在に吊り下げられておりかつ下端にリングを備えているロック用リング部材と、上記遥動部材の他端に回転自在に吊り下げられておりかつ下端にリングを備えているロック解除用リング部材とを含んでおり、ロック用リング部材を下方に引っ張って遥動部材を一方向に傾斜させることにより押さえ部材が引綱をロックし、ロック解除用リング部材を下方に引っ張って遥動部材を反対方向に傾斜させることにより押さえ部材が引綱をロック解除するようになっている引綱固定装置に対して使用される、引綱固定装置の遥動部材の遥動操作を行うための操作棒であって、該操作棒が、操作用棒状体と、該操作用棒状体の端部に取り付けられたアタッチメントから構成されており、該アタッチメントが、上記操作用棒状体の端部に取り付けるための固定部と、該固定部から延びる支持部とを備えた基部材と、上記支持部にピボットを介して、アタッチメントを操作用棒状体に取り付けたときに操作用棒状体の延伸方向に遥動可能なように取り付けられたレバーと、を備えており、上記レバーには、上記ピボットの片側に、引綱固定装置の２個のリング部材のリング内にそれぞれ挿入されてリング内周に当接する２個のリング挿入部が、これらのリング挿入部とピボットとが略直線的に並ぶように配置されて設けられており、上記２個のリング挿入部間の間隔が、引綱固定装置のリング部材の一方を最下位置まで引っ張ったときの下方に存在するリング部材のリング内周の下端と上方に存在するリング部材のリング内周の上端との長さに略等しいことを特徴とする操作棒により、上記課題が解決されることを発見した。
【００１０】
本発明において、「操作用棒状体」と言う語は、作業者が操作時に把持するための棒状体を表わす。作業者は、操作用棒状体にアタッチメントを取り付けて操作棒を完成させた後、操作用棒状体を把持し、レバーに設けられた２個のリング挿入部のうち、ピボットに接近している方のリング挿入部を、下方に引っ張ろうとしている方のリング部材のリング内に、他方のリング挿入部を他方のリング部材のリング内に、それぞれ挿入した後、操作棒を下方に引っ張ると、ピボットを中心としてレバーが操作用棒状体に対して回転し、下方に引っ張ろうとしている方のリング部材のリング内に挿入されたリング挿入部がこのリング内周の下端付近に当接してリングを押し下げると同時に、他方のリング部材のリング内に挿入されたリング挿入部がこのリング内周の上端付近に当接してリングを押し上げるため、遥動部材が確実に遥動するようになり、押さえ部材が遥動部材に連動して作用して引綱を確実にロックまたはロック解除するようになる。従来の先端に鉤部を備えた操作棒を使用した場合にはリング部材のリングの最終の位置まで引っ張ることができないような場合においても、本発明の操作棒を使用すると、作業者が片手で操作するだけで極めて容易にリングを最終の位置まで引っ張ることが可能であり、無理な体勢で力を加える必要がない。
【００１１】
本発明の操作棒において、上記２個のリング挿入部を、アタッチメントを操作用棒状体に取り付けたときに操作用棒状体の延伸方向と略垂直な方向に突出するように設けると、構造をコンパクトにできる上に、両リング部材のリング内にリング挿入部を挿入する操作を容易に行うことができるため好ましい。
【００１２】
また、上記レバーに設けられたリング挿入部におけるリング部材のリング内周と当接すべき部分に、回転自在の回転部材を取り付けるのが好ましい。この回転部材によりリング内周とリング挿入部との間の摩擦が軽減され、リング挿入部が抵抗なくリング内周の下端または上端に移動するため、両リング部材のリングの押し上げと押し下げを同時に行う操作、従って、引綱をロックまたはロック解除する操作をより確実かつ円滑に行うことができる。
【００１３】
本発明の操作棒において、２個のリング挿入部の間隔を調節できるようにしておくと、本発明の操作棒を使用する際の引綱固定装置の両リング部材の間隔に応じて、両リング部材のリングの押し上げと押し下げを同時に行う操作を最適に行うことができる位置までリング挿入部を移動させることができるため好ましい。
【００１４】
さらに、上記レバーを棒体または略矩形の板体により構成し、この棒体または略矩形の板体の端部にピボットを配置し、または、上記基部材の支持部を操作用棒状体の延伸方向に伸びるように設けると、操作棒全体およびアタッチメントをコンパクトな構造にすることができるため好ましい。
【００１５】
また、上述したように、従来の操作棒にはその先端にリング部材のリングに引っ掛けるための鉤部が備えられている。従って、本発明の操作棒において使用されるアタッチメントの基部材の支持部にこの鉤部を挿通させるための孔を設けておき、従来の操作棒（先端に鉤部が備えられた棒状体）をそのまま本発明における操作用棒状体として利用し、上述の支持部に設けられた孔に鉤部を挿通させたのち、基部材の固定部を操作用棒状体に取り付けると、従来の操作棒が有効利用できるため経済的に好ましい。
【００１６】
本発明の操作棒におけるアタッチメントにおいて、基部材の支持部またはレバーのいずれか一方のピボット近傍の位置に、アタッチメントを操作用棒状体に取り付けたときにピボットとリング挿入部の一方とを結ぶ直線と操作用棒状体の軸により形成される角度を規制するための規制突起部が設けられているのが好ましい。ピボットとリング挿入部の一方とを結ぶ直線と操作用棒状体の軸により形成される角度が小さすぎると、２個のリング挿入部をロック用リング部材およびロック解除用リング部材の２個のリングにそれぞれ挿入するのが困難になる。この規制突起部を設けると、ピボットとリング挿入部の一方とを結ぶ直線と操作用棒状体の軸により形成される角度の最小値を所定角度以上に維持することができるため、両リング挿入部をそれぞれのリング部材のリングに挿入する操作を確実かつ容易に行うことができる。
【００１７】
そして、この規制突起部の位置も移動できるようにし、規制突起部の位置に依存して、アタッチメントを操作用棒状体に取り付けたときにピボットとリング挿入部の一方とを結ぶ直線と操作用棒状体の軸により形成される角度の最小値が調整されるようにしておくと、本発明の操作棒を使用する際の引綱固定装置の両リング部材の間隔に応じて、両リング部材のリングの押し上げと押し下げを同時に行う操作を最適に行うことができるような角度に調節できるため好ましい。
【００１８】
本発明はまた、上述の本発明の操作棒において操作用棒状体に取り付けられるアタッチメント自体に関する。該アタッチメントにより、引綱固定装置の遥動部材の遥動操作を極めて容易に行うことができる。
【００１９】
さらに、アタッチメントを使用せずに、上述のリング挿入部が設けられたレバーを直接操作用棒状体の端部に取り付けることによっても、引綱固定装置の遥動部材の遥動操作を容易に行うことができる。従って、本発明はまた、上述のレバーを操作用棒状体の端部にピボットを介して取り付けたことを特徴とする操作棒に関する。
【発明の効果】
【００２０】
柱上開閉器の開閉操作用引綱の固定装置に対して使用される、引綱のロック操作およびロック解除操作を作業者が地上から行うための本発明による操作棒および操作用アタッチメントによると、経時的な変化により、従来の先端に鉤部を備えた操作棒を使用した場合には引綱固定装置のリング部材のリングを最下位置まで引っ張ることができない場合においても、作業者が片手で操作するだけで極めて容易にかつ確実にリングを最下位置まで引っ張ることが可能であり、無理な体勢で力を加える必要がない。従って、作業者が電柱に昇って引綱固定装置を分解し、動作不良を修繕したりする必要がなくなり、あるいは、定期的に電柱に昇って引綱固定装置に注油等のメンテナンスを施す必要がなくなるかあるいはその回数を著しく減少させることができる。さらには、引綱固定装置の動作不良による装置の交換をする必要がなくなるかあるいはその回数を著しく減少させることができ、経済的に極めて有利である。
【発明を実施するための最良の形態】
【００２１】
以下では、図８に示す引綱固定装置に本発明の操作棒または操作用アタッチメントを使用する場合を想定して説明するが、本発明の操作棒または操作用アタッチメントは、図８に示す引綱固定装置に限らず、電柱に取り付けられる筐部材と、柱上開閉器の開閉操作用引綱を上記筐部材と協働してロックまたはロック解除するために上記筐部材に移動可能に取り付けられた押さえ部材と、上記筐部材に設けられた軸に両端が上下方向に遥動可能なように取り付けられた遥動部材と、該遥動部材の一端に回転自在に吊り下げられておりかつ下端にリングを備えているロック用リング部材と、上記遥動部材の他端に回転自在に吊り下げられておりかつ下端にリングを備えているロック解除用リング部材とを含んでおり、ロック用リング部材を下方に引っ張って遥動部材を一方向に傾斜させることにより押さえ部材が引綱をロックし、ロック解除用リング部材を下方に引っ張って遥動部材を反対方向に傾斜させることにより押さえ部材が引綱をロック解除するようになっている引綱固定装置であれば、いずれに対しても使用できる。
【００２２】
（引綱固定装置の一例）
図８（ａ）は、引綱固定装置４０を、ロック用リング部材４４およびロック解除用リング部材４５を通る面で切断した断面を前方から見た図（図８（ｂ）において、線Ｂ−Ｂを通る平面で切断した断面を矢印方向に見た図）を示しており、図８（ｂ）は、図８（ａ）において、線Ａ−Ａを通る平面で切断した断面を矢印方向に見た図を示している。尚、これらの図には、引綱のロックおよびロック解除の動作に必要な部品のみを示している。
【００２３】
図８（ａ）（ｂ）に示す引綱固定装置４０は、基本的な構成要素として、電柱に取り付けるための筐部材４１、該筐部材４１の内部に配置されている両端にロック用リング部材４４およびロック解除用リング部材４５を備えた管状の遥動部材４３、遥動部材４３と筐部材４１の前面４１ａとの間の距離を所定距離に維持する環状のスペーサー４２、遥動部材４３に隣接して配置されておりかつ遥動部材４３に対して摺動面を提供する摺動板４８、筐部材４１の外部に配置されておりかつ筐部材４１の前面４１ａと協働して引綱３１、３２をロックまたはロック解除する押さえ部材４９、押さえ部材４９と筐部材４１の前面４１ａとの間の距離を規制するスプリング５０、これらの部材を貫通して摺動板４８、遥動部材４３、スペーサー４２、スプリング５０、および押さえ部材４９を筐部材４１の前面４１ａに接続する軸５１を備えている。
【００２４】
管状の遥動部材４３は、筐部材４１の前面４１ａの背面側に、環状のスペーサー４２を挟んで配置され、遥動部材４３の中央部がスペーサー４２を貫通した軸５１に両端が上下方向に遥動可能なように接続されている。引綱のロック操作のためのリング部材４４およびロック解除操作のためのリング部材４５は、一端側が略直角に折り曲げられており、他端側には作業者が地上から引綱のロックまたはロック解除操作を行う際に使用する操作棒の一部を引っ掛けるためのリング４６、４７が備えられている。そして、リング部材４４、４５の折り曲げられた端部が遥動部材４３の両端に設けられた孔に挿入され、その結果、リング部材４４、４５が遥動部材４３に対して回転自在に吊り下げられる。
【００２５】
遥動部材４３の背面側には、平面状の基部４８ａと該基部４８ａの両側部から遥動部材４３の方向に折り曲げられた側部４８ｂ、４８ｃとを備えたコ字状の形状を有する摺動板４８が備えられている。摺動板４８の基部４８ａの中央部は遥動部材４３を貫通した軸５１に支持されており、ロック用リング部材４３側に配置されている方の側部４８ｂは、その側縁の中央付近から上縁にかけて斜めに切りかかれており、ロック解除用リング部材４４側に配置されている方の側部４８ｃは、その側縁の中央付近から下縁にかけて斜めに切りかかれている。そして、側部４８ｂ、４８ｃの側縁が遥動部材４３に接触するように配置されている。すなわち、側部４８ｂ、４８ｃの側縁が遥動部材４３に対して摺動面を提供するようになっている。
【００２６】
筐部材４１の前面４１ａの前方には押さえ部材４９が配置され、スプリング５０を貫通した軸５１によって支持されている。軸５１には、摺動板４８側の端部に、摺動板４８の基部４８ａと当接するストッパ５１ａが備えられており、押さえ部材４９側の端部にはネジ部が形成されており、軸５１が押さえ部材４９を貫通した後にこのネジ部にナット５２が係合され、押さえ部材４９と摺動板４８との間の距離が所定距離に維持されるようになっている。そして、柱上開閉器の開閉操作用の引綱３１、３２は、筐部材４１の前面４１ａと押さえ部材４９との間を通過して下方に垂らされている。
【００２７】
このように構成された引綱固定装置４０において、ロック用リング部材４４のリング４６が下方に引っ張られると、遥動部材４３が、軸５１を中心に遥動して傾斜し、筐部材４１の上下面４１ｂ、４１ｃに当接して停止する。同時に、遥動部材４３は、摺動板４８の側部４８ｂ、４８ｃの側縁上を摺動し、斜めに切りかかれている部分を通過して切りかかれていない部分まで移動する。このとき、摺動板４８は、筐部材４１の前面４１ａから離れる方向に移動し、この移動に伴い、摺動板４８と所定距離に維持されている押さえ部材４９がスプリング５０の力に抗して筐部材４１の前面４１ａ側に移動する。このため、押さえ部材４９と筐部材４１の前面４１ａの間に配置されている引綱３１、３２がこれらに挟まれてロックされる。
【００２８】
一方、引綱固定装置４０のロック解除用リング部材４５のリング４７が下方に引っ張られると、遥動部材４３が、軸５１を中心に遥動して逆方向に傾斜し、筐部材４１の上下面４１ｂ、４１ｃに当接して停止する。同時に、遥動部材４３は、摺動板４８の側部４８ｂ、４８ｃの側縁上を摺動し、切りかかれていない部分を通過して斜めに切りかかれている部分まで移動する。このとき、スプリング５０の力により、押さえ部材４９は筐部材４１の前面４１ａから離れる方向に移動し、摺動板４８は筐部材４１の前面４１ａに近づく方向に移動する。このため、押さえ部材４９と筐部材４１の前面４１ａの間に配置されている引綱３１、３２がロック解除される。
【００２９】
（本発明の実施の形態）
次いで、上述の引綱固定装置４０において引綱のロック操作およびロック解除操作を行うための本発明の操作棒および操作棒用アタッチメントの実施の形態について説明する。
【００３０】
図１は、本実施の形態の操作棒１の概略図を示している。この操作棒１は、操作用棒状体２と、操作用棒状体２の端部に取り付けられたアタッチメント３とから構成されている。
【００３１】
本実施の形態では、操作用棒状体２は、木材、ＦＲＰ等の樹脂、または鉄または鋼等の金属で構成されており、電柱の高所に配置された引綱固定装置４０のリング部材４４、４５のリング４６、４７に少なくとも到達する長さを有している。
【００３２】
図２は、本実施の形態の操作棒１におけるアタッチメント３を示した概略図である。アタッチメント３は、主としてＦＲＰ等の樹脂、または鉄、鋼等の金属で構成されており、操作用棒状体２の端部に取り付けるための固定部５とこの固定部５から延びる支持部６とを備えた基部材４と、支持部６の端部にピボット７を介して接続されているレバー８とを備えている。
【００３３】
本実施の形態では、基部材４の固定部５は、操作用棒状体２に係合可能なようにＣ字状の形態に形成されており、固定部５の向かい合う端部は外方に折り曲げられており、折り曲げられた部分にはボルト５ａを挿通させるための孔５ｂが設けられている。固定部５を操作用棒状体２の端部に係合させた後、ボルト５ａを孔に挿通してナットにより操作用棒状体２にしっかりと固定することができる。
【００３４】
さらに、基部材４の固定部５には、略矩形状の板体から構成される支持部６の一端が、アタッチメント３を操作用棒状体２に取り付けたときに操作用棒状体２の延伸方向に伸びるように配置されて固定されている。この支持部６の先端には、やはり略矩形の板体から構成されているレバー８が、ピボット７を介して、アタッチメント３を操作用棒状体２に取り付けたときに操作用棒状体２の延伸方向に遥動可能なように接続されている。
【００３５】
この支持部６にはさらに、ピボット７の近傍の位置に、支持部６とレバー８によって形成される角度を規制するための、従ってまた、アタッチメント３を操作用棒状体２に取り付けたときに操作用棒状体２の軸とレバー８の軸（後述するように、本実施の形態では、レバー８の軸と、ピボット７とリング挿入部１０、１１を結ぶ直線とが一致する。）によって形成される角度を規制するための規制突起部９が設けられている。この規制突起部９は、支持部６の軸方向に延びる長孔９ａと、長孔９ａに挿入される端部にネジ止め部を備えたボルト部材９ｂにより形成される。このボルト部材９ｂを長孔９ａの適当な位置に挿入した後、ネジにナットを係合させてしっかりと固定することにより、規制突起部９が形成される。
【００３６】
この規制突起部９により、アタッチメント３を操作用棒状体２に取り付けたときの操作用棒状体２の軸とレバー８の軸によって形成される角度の最小値（図１におけるα）が決定される。ボルト部材９ｂの長孔９ａにおける位置を調節することによって、角度αの値が変化する。角度αがあまり小さいと、以下に示すリング挿入部１０、１１を引綱固定装置４０のリング部材４４、４５のリング４６、４７内に挿入する操作を行いにくいが、本実施の形態の操作棒１によると、本実施の形態の操作棒を使用する際の引綱固定装置のリング部材の間隔に応じて、後述する両リング部材のリングの押し上げと押し下げを同時に行う操作を最適に行うことができるような角度αに調節することにより、操作を確実かつ容易に行うことができるようになる。一般に、角度αは約３０°〜約１２０°の範囲に調整されていると、操作に支障がない。
【００３７】
レバー８は、引綱固定装置４０のリング部材４４、４５の一方を最下位置まで引っ張ったときの下方に存在するリング部材のリング内周の下端と上方に存在するリング部材のリング内周の上端との長さ（図８（ａ）におけるＬ）より充分に長い長さを有しており、一端が基部材４の支持部６にピボット７に接続されている。このレバー８はさらに、以下に示す２個のリング挿入部１０、１１を備えている。
【００３８】
リング挿入部１０、１１は、引綱固定装置４０の２個のリング部材４４、４５のリング４６、４７内にそれぞれ挿入されてリング内周に当接する作用を有しており、これらのリング挿入部１０、１１とピボット７が略直線的に並ぶようにレバー８の軸に沿って離間して配置される。また、リング挿入部１０、１１は、アタッチメント３を操作用棒状体２に取り付けたときに操作用棒状体２の延伸方向と略垂直な方向に突出して延びるように配置される。
【００３９】
本実施の形態では、これらのリング挿入部１０、１１は、レバーに設けられた孔１０ａ、１１ａと、孔１０ａ、１１ａに挿入される端部にネジ止め部を備えたボルト部材１０ｂ、１１ｂと、ボルト部材１０ｂ、１１ｂの軸部と回転自在に係合する環状の回転部材１０ｃ、１１ｃを用いて形成される。回転部材１０ｃ、１１ｃは、金属、樹脂またはゴムにより構成することができ、後述する本実施の形態の操作棒１を使用して引綱固定装置４０のリング部材４４、４５のリング４６、４７の押し上げと押し下げを同時に行う操作の際のリング部材４４、４５のリング４６、４７とリング挿入部１０、１１との間の摩擦を低減させる作用を有する。ボルト部材１０ｂ、１１ｂに回転部材１０ｃ、１１ｃを係合させたのち、ボルト部材１０ｂ、１１ｂの先端部を孔１０ａ、１１ａに挿入した後にネジにナットを係合さえてしっかりと固定することにより、リング挿入部１０、１１が形成される。
【００４０】
２個のリング挿入部１０、１１の間隔は、引綱固定装置４０のリング部材４４、４５の一方を最下位置まで引っ張ったときの下方に存在するリング部材のリング内周の下端と上方に存在するリング部材のリング内周の上端との長さ（図８（ａ）におけるＬ）に略等しくなるように固定される。リング部材４４、４５が遥動部材４３に回転自在に吊り下げられているため、Ｌの長さと厳密に一致していなくても本発明の効果が得られ、また、いずれかの位置にある遥動部材４３に吊り下げられた状態のロック解除用リング部材４５のリング４７の内周の左端とロック用リング部材４４のリング４６の内周の右端との間の長さよりリング挿入部１０、１１間の長さがわずかに長い場合でも、リング挿入部１０、１１をそれぞれリング４６、４７に挿入することができる。尚、本実施の形態では、孔１０ａをレバー８の軸方向に延びる長孔として構成している。従って、ボルト部材１０ｂの長孔１０ａに対する位置を変更することにより、リング挿入部１０、１１間の間隔を、本実施の形態の操作棒１を使用するときの引綱固定装置４０の両リング部材４４、４５の間隔に応じて、両リング４６、４７の押し上げと押し下げを同時に行う操作を最適に行うことができる位置まで変更することができる。
【００４１】
ピボット９とこのピボット９に接近している方のリング挿入部１１の間の間隔は、後述する両リング４６、４７の押し上げと押し下げを同時に行う操作が可能な長さであればよいが、一般的には図８におけるＬの長さの１／４〜１／２の長さである。
【００４２】
次に本実施の形態の操作棒１の操作方法を、図３を使用して説明する。尚、図３においては、説明の容易性のため、引綱固定装置４０内を通過している引綱を省略している。
【００４３】
作業者は、操作用棒状体２にアタッチメント３を取り付けて操作棒１を完成させた後、引綱のロック操作を行う場合には、レバー８に設けられた２個のリング挿入部１０、１１のうち、ピボット７に接近している方のリング挿入部１１を、下方に引っ張ろうとしているロック用リング部材４４のリング４６内に、他方のリング挿入部１０をロック解除用リング部材４５のリング４７内にそれぞれ挿入し、リング挿入部１０、１１の回転部材１０ｃ、１１ｃがリング内周に当接するように配置した後、操作棒１を下方に引っ張ると、ピボット７を中心としてレバー８が操作用棒状体２に対して回転し、下方に引っ張ろうとしているロック用リング部材４４のリング４６内に挿入されたリング挿入部１１が回転部材１１ｃの作用によりこのリング４６の内周を滑りながら下端付近に移動し、リング４６を押し下げる。同時に、ロック解除用リング部材４５のリング４７内に挿入されたリング挿入部１０が、回転部材１０ｃの作用によりこのリング４７の内周を滑りながら上端付近に移動し、リング４７を押し上げる。従って、引綱固定装置４０の遥動部材４３が確実に遥動し、押さえ部材４９が遥動部材４３に連動して作用して引綱３１、３２を確実にロックする。
【００４４】
引綱のロック解除操作を行う場合には、図３とは逆に、レバー８に設けられた２個のリング挿入部１０、１１のうち、ピボット７に接近している方のリング挿入部１１を、下方に引っ張ろうとしているロック解除用リング部材４５のリング４７内に、他方のリング挿入部１０をロック用リング部材４４のリング４６内にそれぞれ挿入し、リング挿入部１０、１１の回転部材１０ｃ、１１ｃをリング内周に当接させるように配置した後、操作棒１を下方に引っ張ればよい。
【００４５】
本実施の形態の操作棒１によると、従来の先端に鉤部を備えた操作棒を使用した場合にはリング部材のリングの最下位置まで引っ張ることができないような場合においても、作業者が片手で操作するだけで極めて容易に勝つ確実にリングを最終位置まで引っ張ることが可能であり、無理な体勢で力を加える必要がない。
【００４６】
本発明は、上述の実施の形態に限定されるものではなく、本発明の趣旨を逸脱しない限り、種々の変更が可能である。
【００４７】
例えば、上述の実施形態においては、アタッチメント３における規制突起部９を基部材４の支持部６側に設けたが、規制突起部９をレバー８のピボット７近傍の位置に設けるようにしてもよい。また、上述の実施の形態では、アタッチメント３のレバー８に設けられたリング挿入部１０を形成するための孔１０ａを長孔としたが、リング挿入部１１を形成するための孔１１ａを長孔としてもよく、または、複数の孔を設け、これらのいずれかにボルト部材１０ｂ、１１ｂを挿入して固定するようにしてもよい。
【００４８】
さらに、図４に示すように、本発明の操作用棒状体２として、従来の操作棒のように操作用棒状体の先端に鉤部２ａが備えられている棒状体を使用し、アタッチメント３の基部材４の支持部６にこの鉤部２ａを挿通させるための鉤部挿入孔１２を設けておき、この鉤部挿入孔１２に鉤部２ａを挿通させたのち、基部材４の固定部５を操作用棒状体２に取り付けるようにしてもよく、この形態によると従来の操作棒が有効利用できるため経済的に好ましい。
【００４９】
また、上述の実施の形態では、アタッチメント３の基部材４の固定部５をＣ字状に形成したが、固定部５の形状はこれに限定されるものではなく、操作用棒状体２の先端に取り付け可能なものであれば、どのような形状でもよい。例えば、図５に示すように、図６に示す従来の操作棒における鉤部を備えたアタッチメントと同様に、固定部５を操作用棒状体２の先端に覆いかぶせるキャップ状に形成し、固定部の一部に設けられた切り込みにボルトを挿入することによりアタッチメント３を操作用棒状体２に固定するようにしてもよい。このようにすると、用途に応じて、鉤部を備えた従来のアタッチメントと本発明のアタッチメントを交換して使用することができるため、経済的に好ましい。
【００５０】
さらに、上述の実施の形態では、操作用棒状体２とアタッチメント３から構成される操作棒１について説明したが、アタッチメント３を使用せずに、操作用棒状体の端部に上述のようなリング挿入部を備えたレバーをピボットで直接接続するようにしても、本願発明の効果が得られる。
【図面の簡単な説明】
【００５１】
【図１】本実施の形態の操作棒の概略図である。
【図２】図１に示す操作棒のアタッチメントの概略図である。
【図３】図１に示す操作棒の操作方法を説明する概略図である。
【図４】本発明の別の形態を示す概略図である。
【図５】本発明のさらに別の形態を示す概略図である。
【図６】柱上開閉器、開閉操作用引綱、この引綱の固定装置を示した図である。
【図７】図６における引綱固定装置の近傍の拡大図である。
【図８】図８（ａ）は、引綱固定装置を、ロック用リング部材およびロック解除用リング部材を通る面で切断した断面を前方から見た図（図８（ｂ）において、線Ｂ−Ｂを通る平面で切断した断面を矢印方向に見た図）であり、図８（ｂ）は、図８（ａ）において線Ａ−Ａを通る平面で切断した断面を矢印方向に見た図を示している。
【符号の説明】
【００５２】
１    操作棒
２    操作用棒状体
３    アタッチメント
４    基部材
５    固定部
６    支持部
７    ピボット
８    レバー
９    規制突起部
１０、１１    リング挿入部
１２    鉤部挿入孔
【図１】
2007035533.tif 000003
【図２】
2007035533.tif 000004
【図３】
2007035533.tif 000005
【図４】
2007035533.tif 000006
【図５】
2007035533.tif 000007
【図６】
2007035533.tif 000008
【図７】
2007035533.tif 000009
【図８】
2007035533.tif 000010